(57)【要約】      （修正有）【課題】顔面とマスクとの間の隙間をなくし、衛生を確保するとともに、水分を多く含む呼気が眼鏡に当たることによる、レンズの曇りを防止する。【解決手段】カップ型形状を有するマスク本体１と粘着部２とを含み、粘着部が、マスク本体の内側であって、使用時には使用者の外鼻に当接する部位の周辺に位置し、粘着部には、マスク本体に接合されている第１の粘着剤と、基材層と、第２の粘着剤とがこの順に積層されており、第１の粘着剤の粘着力は、第２の粘着剤の粘着力よりも強い、マスクを提供する。【効果】外鼻の周辺を粘着剤で粘着させることによって、マスクを顔面に密着させ、顔面とマスクとの間の隙間の発生を防止することができる。これによって、マスクが持つ衛生機能が十分に発揮され、さらに呼気が眼鏡に当たることによるレンズの曇りを防止することができる。【選択図】図１
0003232179.tif 000002
【実用新案登録請求の範囲】
【請求項１】
カップ型形状を有するマスク本体と粘着部とを含み、
前記粘着部が、前記マスク本体の内側であって、使用時には使用者の外鼻に当接する部位の周辺に位置し、
前記粘着部には、前記マスク本体に接合されている第１の粘着剤と、基材層と、第２の粘着剤とが、この順に積層されており、
前記第１の粘着剤の粘着力は、前記第２の粘着剤の粘着力よりも強い、マスク。
【考案の詳細な説明】
【技術分野】
【０００１】
本考案は、マスクと顔面とが隙間がなく密着する、不織布製の衛生用マスクに関する。
【背景技術】
【０００２】
マスクは、病気の感染拡大の予防、花粉やＰＭ２．５のような微粒子の吸引防止などを目的に、広く使用されている衛生用品である。また、口腔や喉の湿潤を保つことや、化粧をしていない顔を隠すことなど、より広範な用途で用いられることもある。
【０００３】
マスクは一般に、ガーゼなどの織布または不織布で構成されたマスク本体に、マスク本体を口と鼻を覆う位置に固定するための耳かけ紐が付属している。多くの場合、耳かけ紐は伸縮性を有する素材で製造され、伸ばしながら耳にかけ、縮む力によって本体を固定する構造となっている。あるいは、紐を耳にかけるのではなく、紐を後頭部に回して固定する構造のものも存在する。後頭部でマスクを固定するものは、医療現場のような長時間の使用を想定する場合や、顔面への密着性が求められる場合に使用される。
【０００４】
マスクは、使用者の口と鼻とを覆うことによって衛生を確保する用具であるが、適切な方法で着用しなければ、十分な効果が発揮されない場合がある。例えば、鼻を露出させて着用すると、鼻からの吸気が濾過されず、効果を減ずることとなる。さらに、口と鼻とを覆う位置にマスク本体を当て、耳かけ紐によって固定しても、顔面とマスクとの隙間を完全になくすことはできない。
【０００５】
衛生用マスクには、Ｎ９５という規格がある。この規格は、米国の国立労働安全衛生研究所が制定した呼吸器防護具に関する基準であり、ＮａＣｌ試験粒子を、所定の条件下では９５％以上捕捉できることを意味する。この規格に準拠したマスクは、医療現場でも用いられる高機能なマスクである。しかしながら、高い異物除去効果が発揮されるのは、マスクが適切に着用されている場合に限られる。すなわち、マスクと顔面との間に隙間がある場合、保護機能は不完全なものとなる。
【０００６】
また、マスクを眼鏡と同時に着用する場合、特に冬季には、レンズが曇るという問題が発生しうる。呼気には多くの水分が含まれるため、これが冷えたレンズに当たると結露として現れ、レンズが曇ることとなる。眼鏡を単独で使用している場合には、レンズに当たる呼気の量は少なく、このような問題は生じない。しかしながら、マスクを着用することで、呼気がマスクと顔との隙間を通って上方に抜け、眼鏡の方向へ導かれる。そのため、レンズに当たる呼気の量が増加し、曇りを生じうる。
【０００７】
特許文献１には、鼻と口を覆うように中央部分が立体的に膨らんだ繊維質の材料の基部と、基部の裏面の外周縁に沿って設けられ、顔面に接着できるように表面部分に粘着剤を含んだ第１の複数の粘着層片と、第１の複数の粘着層片に実質的に平行に設けられて第１の複数の粘着層片に対して千鳥状に配置され、顔面に接着できるように表面部分に粘着剤を含んだ第２の複数の粘着層片と、を有し、第１の複数の粘着層片の表面と第２の複数の粘着層片の表面には、保護シートが貼り付けられていることを特徴とするマスクが開示されている。このような構成によって、立体形状のマスクを顔面への粘着によって装着することが可能になる。しかしながら、複数の粘着層片を千鳥状に配置するには、複雑な製造工程を要する。したがって、より簡便な構成にするという観点において、改善の余地がある。
【先行技術文献】
【特許文献】
【０００８】
【特許文献１】特開２００９−１６０４５４号公報
【考案の概要】
【考案が解決しようとする課題】
【０００９】
マスクを耳かけ紐によって、使用者の口と鼻とを覆う位置に固定しても、顔面とマスクとの間の隙間を完全になくすことは困難である。また、マスクと眼鏡を同時に着用する場合、水分を多く含む呼気が、この隙間を通過して眼鏡に当たり、レンズの曇りを生じる場合がある。このような問題に対処するため、着用時にマスクと顔面との間に隙間が生じないように、粘着剤によって密着させることが提案されている。本考案ではさらに、簡便な構成によって、マスクを取り外す際に痛みや不快感を伴わないマスクを提供することを目的とする。
【課題を解決するための手段】
【００１０】
上記課題を解決するため、本考案は、カップ型形状を有するマスク本体と粘着部とを含み、粘着部が、マスク本体の内側であって、使用時には使用者の外鼻に当接する部位の周辺に位置し、粘着部には、マスク本体に接合されている第１の粘着剤と、基材層と、第２の粘着剤とがこの順に積層されており、第１の粘着剤の粘着力は、第２の粘着剤の粘着力よりも強い、マスクを提供する。
【考案の効果】
【００１１】
本考案のマスクは、外鼻の周辺を粘着剤で粘着させることによって、マスクを顔面に密着させ、顔面とマスクとの間の隙間の発生を防止することができる。これによって、マスクが持つ衛生機能が十分に発揮され、さらに呼気が眼鏡に当たることによるレンズの曇りを防止することができる。顔面に当接する第２の粘着剤は、弱い粘着力を有する。したがって、簡便な構成でありながら、マスクを取り外す際に顔面の皮膚が受ける刺激が抑えられ、痛みや不快感を防止することができる。
【図面の簡単な説明】
【００１２】
【図１】本考案のマスクを示す斜視図である。
【図２】本考案の粘着部を模式的に示す断面図である。
【考案を実施するための形態】
【００１３】
本考案のマスクは、立体縫製または一体成型等によって、本体がカップ型形状を有する。すなわち、中央部が外縁部に対して盛り上がっているため、マスクの外縁部が顔面に当接するように着用した際に、唇がマスク本体に触れないのが一般的である。より詳細な形状としては、例えば、球または長球の一部のように、全体がなだらかで頂点を有しない形状であってもよい。あるいは、２枚の平面状基材を縫い合わせた形状のように、曲面同士の間に稜線を有してもよい。本考案のマスクを使用する場合、このような形状を有することによって、口とマスクとの間に空間が形成される。そのため、声を出しやすい、口を動かした際にマスクがずれにくい、化粧が崩れにくいなどの長所が生じる。
【００１４】
本考案のマスクの外縁部は、着用時の形状に広げた状態で、例えば円形または楕円形である。これにより、外縁部のほぼ全体が顔面と当接し、従来のプリーツ型マスクと比較して、顔面との間の隙間を低減することができる。なお、プリーツ型マスクとは、広げる前は平面四角形状であり、基材をずらしながら折り重ねることによって形成されたプリーツを有するマスクである。プリーツを広げることによって形状が立体的となり、プリーツのない平型よりも顔面の広い範囲を覆うことや、顔面との間の隙間を減らすことができる。しかしながら、特に側辺部において、カップ型マスクよりも大きい隙間が形成される。
【００１５】
本考案のマスクは、マスク本体の内側であって、使用時には使用者の外鼻に当接する部位の周辺に、粘着部を有する。すなわち、粘着部は、マスク本体のうち、外縁部に沿った着用時に上側となる領域に配置される。外鼻とは、ヒトの顔の中央にある突出した部分であり、鼻筋とも呼ばれる鼻背、左右両側に膨れた鼻翼などを含めた用語である。粘着部は、鼻背上に当接するように配置されてもよく、鼻背上を避けて左右両側に配置されてもよい。周辺という用語の範囲としては、例えば、鼻翼の右端または左端から３ｃｍ程度の領域を含んでもよい。外鼻の周辺はマスクとの間に隙間が発生しやすく、異物の吸引や眼鏡レンズの曇りを生じやすい部位である。このような領域に粘着部が配置されることによって、本考案のマスクは、衛生機能を向上させるとともに、レンズの曇りを防止することができる。
【００１６】
本考案のマスクは、所望により、耳かけ紐を含んでもよい。一実施形態では、本考案のマスクは、使用者の外鼻に当接する部位およびその周辺のみに粘着部を有し、この粘着部と耳かけ紐とによって、マスク本体を顔面に装着することができる。別の実施形態では、本考案のマスクは、外縁部に沿って全周的に、使用者の顔面に当接する部位全体に粘着部を有し、耳かけ紐を用いることなくマスク本体を顔面に装着することができる。
【００１７】
本考案のマスクは、所望により、ノーズピースなどの形状保持部材を含んでもよい。ノーズピースとは、マスク本体の上部に配置され、マスクの形状を、外鼻の周辺の形状に合わせて保持する部材である。多くの場合、ノーズピースは、樹脂や金属のように変形性と形状保持性とを兼ね備える材料から作製され、安全性の観点から、樹脂が好ましく用いられる。使用者が着用時に、ノーズピースを自身の顔面の曲線に合わせて変形させることによって、隙間の発生を軽減することができる。マスクの形状と顔面の曲線とが一致することによって、マスクと顔面との間の密着性を高めることができる。ただし、本考案のマスクでは、粘着部によってマスクの形状を顔面の形状に合わせて保持することができるため、ノーズピースなどの形状保持部材を有しなくてもよい。
【００１８】
本考案において、粘着部とは、外界に露出している面が粘着力を有する部材を指す。より詳細には、図２に示すように、基材層と、基材層の一方の面に配置された第１の粘着剤と、基材層の他方の面に配置された第２の粘着剤とを含む。なお、図面は概略を表すものに過ぎず、実際の厚さに比例して描画されたものではない。粘着部の各層は軟質であり、使用者がマスクを折り曲げたときに、容易に追従して変形する程度に低い剛性を有する。
【００１９】
本考案においては、第１の粘着剤は、第２の粘着剤よりも強い粘着力を有する。第１の粘着剤は、十分に強い粘着力を有し、マスクと粘着部とを接合する役割を果たす。一方、第２の粘着剤は、マスクと使用者の顔面とを密着させる効果を有する。第２の粘着剤の粘着力が弱いことによって、密着させたマスクを取り外す際に使用者の皮膚にかかる負荷を、低減することができる。また、各粘着剤の粘着力がこのような大小関係を有することによって、顔面に貼り付けたマスクを取り外す際に、粘着部がマスクから剥がれることを回避することができる。
【００２０】
粘着部が含む粘着剤は、前述の関係を満足する範囲内で、任意の材料を用いることができる。例えば、マスクと基材とを接合するための第１の粘着層には、工業用の粘着力の強い成分を用いてよい。一方、使用者の顔面と当接する第２の粘着剤については、皮膚への有害作用を生じない、十分な安全性を有することが求められる。例えば、弱粘着性のアクリル系粘着剤が、好ましく用いられる。
【００２１】
本考案のマスクはさらに、第２の粘着剤の上に剥離材を有してもよい。第２の粘着剤を剥離材で覆って提供することによって、利便性を向上させることができる。剥離材は、スリットによって複数に分割されていてもよい。使用者は、スリットに沿って粘着部を山折りすることによって、剥離材を容易に粘着部から剥がすことができる。
【００２２】
なお、本考案は上記の実施形態に限定されるものではなく、本考案の趣旨に基づいて種々変形させることが可能であり、それらを本考案の範囲から排除するものではない。
【符号の説明】
【００２３】
１  マスク本体
２  粘着部
３  耳かけ紐
４  第１の粘着剤
５  基材層
６  第２の粘着剤
７  剥離材
８  スリット
【図１】
0003232179.tif 000003
【図２】
0003232179.tif 000004